(57)【要約】【課題】  観察者が、見かけの天体の配置や日周運動を立体的な実天感覚で観察でき、実際の天体運動との対照を容易にすることが可能な天球儀を提供する。【解決手段】  内部の透視が可能な天球殻５を、天の北極６および天の南極７を貫く天球の軸３にて空転自在に支持するとともに、その内部に、可動ジョイント部２を介して天球の軸３に傾動自在に支持され地平面１を模した円盤を収容する。天球殻５の表面（天球面）には、全天の主な天体や星座、必要な天体の軌道環等を内部からの視点で正常表示となるように配置する。地平面１は、重錘にて常に水平となるようにされ、地平面１の上には、観察者を模した人形３０、天球の軸３と地平面１とのなす仰角を示す仰角計４ａを配置する。利用者は、自己の緯度に仰角を設定し、天球殻５を回転させれば、その緯度における地平面１での天体の見え方を多様かつ動的に実天感覚で体験できる。【選択図】  図１
2005078031.tif 000002
【特許請求の範囲】
【請求項１】
内部が透視可能な天球殻と、前記天球殻の南北極を貫き、当該天球殻を回転自在に支持する天球の軸と、前記天球殻の内部に位置し、当該天球殻に対して相対的に移動自在に前記天球の軸に支持された、地平面として形成された円盤とを具備したことを特徴とする天球儀。
【請求項２】
前記円盤と前記天球の軸とのなす角度が可変なように、前記円盤を前記天球の軸に支持する可動係合構造と、前記円盤を水平な姿勢に保つバランス機構とをさらに備えたことを特徴とする請求項１に記載の天球儀。
【請求項３】
前記天球殻の天球面上に表示される複数の赤緯線と、複数の前記赤緯線を周方向に等分するように表示される複数の赤経線とをさらに備えたことを特徴とする請求項１または請求項２に記載の天球儀。
【請求項４】
前記天球殻の天球面上には、太陽の運行経路を示す黄道に対応した太陽軌道環、および月の運行を示す白道に対応した月軌道環を設け、前記太陽軌道環および前記月軌道環の任意の位置に太陽および月をそれぞれ配置可能にしたことを特徴とする請求項１〜請求項３のいずれか１項に記載の天球儀。
【請求項５】
前記天球殻は、透明素材からなる球体、または球面をなすように成型されたフレームで形成されていることを特徴とする請求項１〜請求項４のいずれか１項に記載の天球儀。
【請求項６】
前記天球殻に情報を表示するための電飾を備えたことを特徴とする請求項１〜請求項５のいずれか１項に記載の天球儀。
【請求項７】
前記天球殻は、内部が透視可能な球形表示パネルにて構成され、前記表示パネルに対する情報表示を制御する表示制御部を備えたことを特徴とする請求項１〜請求項６のいずれか１項に記載の天球儀。
【請求項８】
天球の軸を着脱自在に支持する支持台をさらに備えたことを特徴とする請求項１〜請求項７に記載の天球儀。
【発明の詳細な説明】
【技術分野】
【０００１】
本発明は、天球儀に関し、特に、天体運動の学習や理解への支援等に好適な天球儀に関する。
【背景技術】
【０００２】
たとえば、理科教育の分野では、宇宙における地球その他の天体の運動を客観的に理解させることは、天体の運行等の日常経験を科学的に考察する習慣をつけさせる等の観点から重要である。このような天体の運動の学習等には、たとえば、天球儀等の模型の使用が考えられる。
【０００３】
従来、この種の天球儀としては、たとえば特許文献１のように、地球儀に似た天球殻の天球面上に様々な天体や星座が描かれたものや、特許文献２のように、透視型の天球殻の中心部に小さな地球儀が据え付けられたものが知られている。
【０００４】
ところが、上述の従来技術は、以下のような様々な技術的課題を有する。
すなわち、第１に、特許文献１および特許文献２は、いずれも天球面上の天体を天球儀の外側から概観するものであり、星座等の配置も、我々が実際の天空で観測するものとは「裏返し」のものとなっている。このため、実際に見える配置が想像しにくいという技術的課題がある。また、星座等の配置を裏返して天球儀上に配置したとしても球面上に配置されたものを外部から観察することには変わりがなく、天球面全体が手前側に凸となるため日常経験する天球の見え方（向こう側に凸）とは異なり、実天感覚に乏しいものとなる。
【０００５】
第２に、観測者のいる地球の地平面の緯度による天球面上の天体の見え方の違いが全く考慮されていないという技術的課題がある。たとえば特許文献２のように天球内に地球の模型を配置したとしても、地球上の特定の位置にいる観測者における天球の見え方を実感することは困難である。
【０００６】
第３に、天球面上の天体の日周運動の地平面上からの見え方や、その観察可能時間、太陽や月の年周運動、月周運動による、地平面からの見え方の違い等が考慮されておらず、利用者は、種々の季節や時刻、自分のいる場所（緯度、経度）に応じた各種の天体の地平面からの見え方の違いを把握できない、という技術的課題がある。
【特許文献１】特開２０００−２６７５６１号公報
【特許文献２】実開平５−３７２５５号公報
【発明の開示】
【発明が解決しようとする課題】
【０００７】
本発明は、内部から天球ドームを見上げて観察しているかの如きプラネタリウムのような感覚や視点が得やすく、実際の天体との対照を容易にしその運動の様子を具体的、立体的に実感できる天球儀を提供することを目的とする。
本発明は、地球の任意の地平面上の観測者からの天体の見え方を実感できる天球儀を提供することを目的とする。
【０００８】
本発明は、地球の任意の地平面上の観測者が種々の季節や時刻、観測者のいる場所（緯度、経度）に応じた各種の天体の地平面からの見え方の違いを把握できる天球儀を提供することを目的とする。
本発明は、天体の天球運動全体の仕組みの理解を容易にすることが可能な天球儀を提供することを目的とする。
【課題を解決するための手段】
【０００９】
本発明の天球儀は、その内部が外から透視できる透明アクリル樹脂等の素材、若しくはプラスチックや金属等のフレームで作られた構造による天球殻を設けた構成としたものである。ただし、天球面に表示される星座は、天球体・内外部から見て表裏が正しくなるように配置する。そして、天球殻の天の北極と天の南極を貫く天球の軸の中心部に、南北方向に天球殻に対して相対的に自在に回転する可動係合装置等により接合され、その裏面に取り付けられた重錘の働きにより、常に水平を保つことができる地平面を模した円盤を配置する。
【００１０】
さらに、上記天球儀において、ある共通の赤経線を基準として、その全円周が２４等分若しくは４８等分などの等分に区切られている赤緯線を天球殻の天球面上に配置する構成としたものである。これらは、地平面より上にある赤緯線の区切り（赤経線との交点）の数を数えることにより、その付近の天体が、一日のうち、大凡何時間くらい地平面上にあるかを知るためのものである。
【００１１】
さらに、上記天球儀において、天球殻の天球面上の通常の天体の表示に加えて、天球殻に、太陽軌道環（黄道）や月軌道環（白道）を配置する構成としたものである。
さらに、上記天球儀において、天球儀本体の脱着を可能とした、支援、支持用具としての支持台を配置する構成としたものである。
【００１２】
上記した本発明の天球儀の作用は、一例として、次の通りである。すなわち、天球面に表された星座は、従来技術では天球を外部から見るので、通常、地表から見ているものとは異なり裏返しとなってしまうばかりでなく、天体と天体の位置関係も分かりにくくなってしまう。
【００１３】
これに対して、本発明の天球儀では、天球殻の外から内部を透視することができることにより、観察者は、その天球内部の地平面中央から天球ドームを見上げ、実際の正立した星座や天体を天空に見ているのと同じ感覚を得ることができる。よって、地平面からみる天球面上の正しい天体の配置や運動の理解を容易にするという効果を発揮する。
【００１４】
また、本発明の天球儀では、天球面上の天の北極は、北極星の天球座標ともなるので、天球の軸と地平面を模した円盤の形成する角度（仰角）が、その地平面の地球上での実際の緯度と同じになる。よって、天球の軸と地平面の傾きから、地球上の任意の緯度と経度の地平面からの天体を再現し観察することができるという効果を発揮する。
【００１５】
そして、地平面の中央付近に人間を模した小さな人形や、天球の軸と地平面との接合ジョイント部に仰角計（高度計・分度器）などを配置すればその視覚認識効果はより高まる。
また、天球殻を天球の軸を中心に、東から西へ回転させることにより、地平面の端の地平線と天球の日周運動の関係も極めて容易に理解することができるという効果を発揮する。
【００１６】
さらに、本発明の天球儀では、地平面より上にある天球面上の赤緯線の区切りの数を数えることにより、その付近の天体が、一日２４時間の内、大凡何時間ぐらい地平面上に現れているかを容易に知ることができる。
【００１７】
実際に、天球上の任意の天体を、地平面の東端から西端まで天球殻を回転させて移動させてみることにより、その天体の日周運動の軌跡（軌道）と、地平面上の大凡の現出時間を容易に知ることができる効果を発揮する。
【００１８】
また、本発明の天球儀では、天球面上の通常の天体表示とは別に、天球面上に、一年間の月日を記した太陽軌道環（黄道）と、約一ヶ月の日や月齢を記した月軌道環（白道）を設け、それぞれの任意の軌道上に太陽や月の模型を配置し、地平面に対して天球殻を回転させることにより、観察者は、その時点での太陽や月の日周運動の軌跡は勿論のこと、地平面から見た、季節による太陽高度の違いや、地平面上の現出時間の相違、さらには、他の天体との関係を容易に理解することができるという効果を発揮する。
【００１９】
また、本発明の天球儀では、天球儀本体と台座（支持台）とが脱着できることにより、使用時には本体を手にとって操作や観察ができたり、台座（支持台）に固定して観察したりすることができる。
【００２０】
さらに、天球儀本体にＬＥＤ（発光ダイオード）や光ファイバー等の電飾を施したり、駆動モーターやジャイロコンパスを設置して、天球の軸や天球殻を自動的に回転させたりすることで、視認効果の向上による学習効果の向上はもとより、置物等としての装飾性を持たせることもできる。
【００２１】
また、天球殻を、たとえば液晶パネルディスプレイ等の平面ディスプレイを球形にした透明な球面ディスプレイで構成し、天体やその運行経路等の各種の情報をコンピュータ制御で表示することで、ディスプレイ効果をより発揮させ、一層多様かつ詳細な天体等の表示態様を実現することもできる。たとえば、太陽が出ている日中は他の星が見えにくくなり、太陽が沈んだときに星が出現することを表現できる。また、朝焼けや夕焼け等も表現できる。
この場合、電飾の表示電源や、球面ディスプレイの表示制御用のコンピュータは、台座（支持台）の中に省スペースに実装することができる。
【発明の効果】
【００２２】
本発明の天球儀によれば、天球殻の外より内部を透視できることにより、天球中心部の地表面から天球面上の天体や星座を正しい配置で観測でき、天球の構造を容易に理解できる効果を提供できる。
【００２３】
また、天球殻の中心部に設けられた地平面を模した円盤が、天球の軸に対し常に水平を保つ機構から、地球上の特定の緯度の地点における地平面からの天球面上の天体の配置を現出させることができ、容易にその地点で観察可能な天体を特定できる効果を提供できる。
【００２４】
さらに、天球殻を東から西に回転させることにより、その地平面における天体の日周運動の様子を容易に認識できる効果を提供できる。
さらに、天球面上の赤緯線に日周時間の等分目盛りが刻んであることにより、その付近の天体の日周運動において地平面上に現出している大凡の時間を知ることができるという効果を提供できる。
【００２５】
さらに、天球殻に太陽軌道環（黄道）や月軌道環（白道）を設けていることにより、季節や月齢による太陽や月の日周運動が容易に表現でき、その高度の違いや地平面上に現れている時間の大凡を容易に知れる効果を提供できる。
【００２６】
さらに、着脱式の支持台を設けることにより、天球儀の観察を容易にするだけでなく、天球儀本体がその諸表示にＬＥＤや光ファイバー等の電飾や駆動モーターやジャイロコンパスを用いたり、球形表示パネル等を用いてコンピュータ制御したりする場合には、電源やコンピュータ等を省スペースで支持台に収容できるとともに、それらの動作電力を容易に供給することができるだけでなく、優れたディスプレイ効果を提供できる。
【００２７】
上述したこれらの機能が全部融合されて立体的、実感的、組織的に天球の天体運動の理解が促進され、宇宙の仕組みが理解しやすくなるという学習促進効果が提供できる。
【発明を実施するための最良の形態】
【００２８】
以下、本発明の実施の形態を、図面を参照しながら詳細に説明する。
（実施の形態１）
図１は、本発明の一実施の形態である天球儀の全体構成の一例を示す斜視図である。本実施の形態の天球儀は、透明な天球殻５と、この天球殻５を回転（空転）自在に支持する天球の軸３と、天球殻５の内部に配置され、天球の軸３に支持された円盤状の地平面１を備えている。
【００２９】
地平面１は、後述の図３に例示されるように、その可動ジョイント部２において天球の軸３により常に水平に支えられており、地平面１の南北方向と天球の軸３との間で仰角４を形成する。
【００３０】
天の北極６の座標には北極星２０があるので、この仰角４は、その地平面１における北極星２０の高度となり、その地平面１の地球上の緯度ともなる。また、地平面１の輪郭は、その緯度での地平線を示している。この実施の形態では、地平面１の大きさ（輪郭）は、天球殻５の内周に非接触でかつ当該内周とほぼ等しい大きさに設定されているが、これに限らず、天球殻５の内周寸法よりも小さくしてもよい。
【００３１】
また、天球の軸３は、天球殻５の天の北極６と天の南極７を貫いており、この天球の軸３を中心にしてこの天球殻５は、地平面１に対して自由に回転することにより、天球殻５の表面（天球面）上の天体２１や星座２２が、地平面１に対する日周運動を表現することができるだけでなく、地平線上における、その天体２１に隣接する赤緯線１５の日周時間区切り（赤緯線１５を等分する赤経線１４との交点）の数を数えることにより、その天体２１の地平面１上に現出する大凡の時間を計算することができる。
【００３２】
地平面１の中央付近には、人間を模した小さな人形３０や、天球の軸３と地平面１との可動ジョイント部２に仰角計４ａ（高度計あるいは分度器等）などが配置されており、その視覚認識効果をより高めている。
【００３３】
さらに、この天球殻５の天球面上の北極星２０、天体２１、星座２２、天の赤道８、赤経線１４、赤緯線１５等の諸表示には、ＬＥＤや光ファイバー等の電飾を用いることができる。また、必要に応じて、軸受け１７内に図示しない駆動モーターを設けて、天球の軸３（地平面１）に対して天球殻５を自動的に所定の速度で回転させる構成としてもよい。これにより、本実施の形態の天球儀のディスプレイ効果をより発揮することができる。
【００３４】
天球の軸３の南端３ａは、天球儀の全体を支援、支持するための支持台１８の軸受け１７に挿入されて支持されている。
この支持台１８の軸受け１７は、傾きが自由に変えられる可撓性のフレキシブル機構の腕で台座である支持台１８に接続されており、天球儀本体を台座（支持台１８）から取り外して使用する場合の他、天球の軸３の南端３ａを支持台１８の軸受け１７に挿入し、天球の軸３を必要な角度に固定して天球儀本体を観察することができる。
【００３５】
また、この天球儀の天体２１、星座２２、赤経線１４、赤緯線１５等の諸表示には、必要に応じて、ＬＥＤや光ファイバー等の電飾を用いたり、天球殻５の回転に駆動モーターを用いたり、また、球形表示パネル等を用いてコンピュータ制御したりする場合には、この軸受け１７を通して電力や情報の供給を行うことができる。
【００３６】
図２は、地平面１を模した円盤の平面図である。その面上には東西南北の方位が定められているが、南北方向にスリット２ａ（溝）が開いている。このスリット２ａは、地平面１に対して天球の軸３を相対的に傾動させる際に天球の軸３がすり抜けるためのものである。
なお、このスリット２ａで分けられた円盤の東側部分１ｂと西側部分１ａは円盤の中心部で、東西方向に軸をもつ可動ジョイント部２により接合され一つの統合した平面（地平面１）を形成している。
【００３７】
図３は、地平面１の可動ジョイント部２と、天球の軸３との取り付け状態の一例を示す見取り図である。
この天球の軸３は、地平面１の可動ジョイント部２において、南北方向のスリット２ａの中を自由に回転することができる図示しない軸受け機構で接合されている。すなわち、天球の軸３の径方向の貫通する図示しない軸孔に地平面１の可動ジョイント部２を回転自在に挿通して係合させることにより、天球の軸３は、地平面１の南北方向（スリット２ａの方向）を含み当該地平面１に直交する平面内で相対的に回動自在となるように地平面１を支持している。
【００３８】
なお、地平面１は、その裏面に吊り下げ部材１ｃを介して重錘１ｄが取り付けられており、重錘１ｄを含めた地平面１の全体の重心位置は、天球の軸３と交差する可動ジョイント部２の直下で地平面１の平面の下方となるように設定されている。これにより、地平面１は、天球の軸３の傾きに拘わらず、天球殻５等に対して、常に水平を保つことができる。そして上述のように、地平面１上の支点である可動ジョイント部２の付近に仰角計４ａが設けられていることにより、地平面１と天球の軸３との角度、即ち、その地点における北極星２０の高度たる仰角４、（即ち、その地点の地球上の緯度）を容易に表現することができる。
【００３９】
図４は、天球殻５の構成の一例を示す斜視図である。本実施の形態の天球殻５は、透明なアクリル樹脂やガラス等の透明素材を用いて作られており、内部は中空になっている。そして、この天球殻５の内部は、外から透視することができる。
【００４０】
天球殻５上の天球面には、天の赤道８、黄道９をはじめ、必要な赤緯線１５や赤経線１４だけでなく、必要な天体２１や星座２２が、内部の視点から見た状態で正しい座標に表示されている。
また、天球の軸３を傾斜させることにより、天球殻５の全体は、常に水平な地平面１に対して変位し、地平面１の中心に直交して上方に貫く線と天球殻５との交点である天頂１６は、天球の軸３の傾斜に従って天球殻５上を移動する。
【００４１】
図５は、天球面上の代表的な赤緯線（Ａ）１５ａと赤緯線（Ｂ）１５ｂを表している。
これら、天球面上で表示される赤緯線１５は、それぞれの全円周が、共通の赤経線１４を基準に、２４等分若しくは４８等分など、等分で区切られている。そのことにより、地平面１より上にあるそれぞれの赤緯線１５と赤経線１４との交点（区切り）の数をえることにより、その付近にある天体２１が大凡何時間くらい地平面１より上に現出しているかを知ることができる。
【００４２】
即ち、ある天体２１が表示された天球面を、東から西へ回転させることにより、その天体２１を地平面１の東端より西端へ移動させることができる。その時、その天体２１の天空上の軌跡を知ることができるだけでなく、地平面１上にある赤緯線１５の区切りの数を数えるたけで、その天体２１が地平面１上に現出している大凡の時間を知ることができる。
【００４３】
図６は、天球殻５の天球面上に取り付ける太陽軌道環９ａ（黄道）や平均的な月軌道環９ｂ（白道）と、これらと天の赤道８との交点である春分点１０および秋分点１２、さらには夏至点１１および冬至点１３を示している。
【００４４】
黄道の太陽軌道環９ａには、全局（周）に一年間の“月日”が記されており、白道の月軌道環９ｂには一ヶ月（３０日）の月齢に対応した“日”が記されている。そして、それらの任意の位置に図示しない太陽や月の模型を張り付け、天球殻５を東から西へ回転させることにより任意の日における、太陽や月の、大凡の日周運動を表現し、その軌跡と地平面１上に現出している大凡の時間を知ることができる。
【００４５】
以下、本実施の形態の天球儀の作用の一例について説明する。
上述のように、本実施の形態の天球儀では、天球殻５が、外から内部を透視できる素材や構造で作られているため、観察者の視線方向に対向する内周に天球面上の正立した正しい座標の天体２１の配置や天球の構造が現出される。また、地平面１と併せて観察することにより、実際に地平面１に立って天球を見るときの実天感覚にて、天体２１の位置等を認識できる。
【００４６】
また、天球の軸３と地平面１との成す角が北極星２０の高度となるので、地球上の個別の緯度ごとの多様な地平面１上での実天感覚で、天体観察できる天球面が現出する。
【００４７】
また、天球面全体を外から俯瞰して得られる全体像と、天球の中心部を透視して自在に水平を保つ地平面１を併せて観察できることから、天球殻５を回転させることにより、地平面１の東側部分１ｂの地平線（輪郭）から出現して西側部分１ａの地平線（輪郭）に没する天体２１の日周運動が現出し、この日周運動を観察者は客観的に認識できる。
また、天球面上に取り付けられた太陽軌道環（黄道）９ａや月軌道環（白道）９ｂ上に任意におかれた太陽や月の日周運動も現出する。
【００４８】
このように、あらゆる天体２１や星座２２等の、その時点での、天球の回転と地平面の関係により天体２１の日周運動の軌跡を容易に表現できる。また、その天体２１の近隣にある赤緯線１５に等分に刻まれた時間区切り表示（赤経線１４との交点）を数えることにより、その天体２１が地平面１上に現出する大凡の時間を知ることができる。
【００４９】
以上のように、これらの機能が全部融合されて、立体的、実感的、組織的に天球面における天体運動が容易に理解され、宇宙の仕組みの学習促進効果が得られるものである。
さらに、必要に応じて、この天球殻５の天球面上において、ＬＥＤや光ファイバー等の電飾を用いて天体等の諸表示を行ったり、軸受け１７に設けられた図示しない駆動モーター、ジャイロコンパスやコンピュータ等を用いて天球殻５を自動的に回転させることにより、より効果的なディスプレイ動作を実現することが可能となる。
【００５０】
（実施の形態２）
図７は、本発明の他の実施の形態である天球儀の構成の一例を示す概念図である。この実施の形態２の場合には、天球殻５を、内部が透視可能な球形表示パネル５０で構成した場合の一例を示す。なお、天球殻５の内部やその他の構成は、上述の実施の形態１の場合と同様であるので、対応する部材には同一符号を付して説明は省略する。
【００５１】
天球殻５を構成する球形表示パネル５０は、動作電力や制御信号を供給するためのケーブル５１を介してコンピュータ等で構成される球面表示制御部５２に接続され、この球面表示制御部５２には、表示データメモリ５３およびキーボードやスイッチ等の入力装置５４が接続されている。
【００５２】
球面表示制御部５２や表示データメモリ５３は、支持台１８の内部にコンパクトに実装することができる。ケーブル５１は、軸受け１７および天球の軸３の内部に挿通されて、球形表示パネル５０に接続される。
【００５３】
球形表示パネル５０は、一例として、球形に成型された透明基板の任意の領域を所定の解像度で任意に選択的に不透明にするか、発色させることにより、文字や図形の描画を目視可能に可変に行う機能を備えている。この表示機能は、一例として、液晶表示パネル等のフラットパネルディスプレイを球形に成型することで実現できる。
【００５４】
球面表示制御部５２は、入力装置５４の操作等による外部からの指示に応じて、表示データメモリ５３に格納された制御プログラムや表示データを読み出して、球形表示パネル５０上の球面座標に任意の文字や図形を表示させる制御機能を備えている。
【００５５】
この球形表示パネル５０における表示は静的なものに限らず、動画等の動的な表示も可能である。これにより、たとえば、上述の天の赤道８や赤経線１４等の必要な情報を球形表示パネル５０上に随意に描画することが可能になるとともに、内部を透視して、球形表示パネル５０の内部の地平面１等を目視することも可能である。
【００５６】
この場合には、電飾等による天球殻５の諸表示に比較して、表示データメモリ５３内の表示データや球面表示制御部５２の制御プログラムを任意のものに入れ替えるだけで、極めて多様な天体等の静的および動的表示、さらには白黒／カラー表示等が可能となり、ディスプレイ効果をより発揮することができるとともに、教育的効果もより大きくなる。
【００５７】
（実施の形態３）
図８は、本発明のさらに他の実施の形態である天球儀の構成の一例を示す概念図である。この実施の形態３の場合には、天球殻５をフレームで構成した場合の変形例を示す。なお、天球殻５の内部やその他の構成は、上述の実施の形態１の場合と同様であるので、対応する部材には同一符号を付して説明は省略する。
【００５８】
この図８の変形例の場合、天球殻５は、プラスチックや金属等の細いフレーム６０を用いて作られ、内部は中空になっており、フレーム６０の間隙から天球殻５の内部を、外から透視することができる。また、このフレーム６０自体を透明な樹脂やガラス等で構成してもよい。
【００５９】
図８の例では、赤経線１４に対応するように円形に成型されるとともに球面をなすように配列された複数の経線フレーム６１と、これらを経線方向に連ねて固定する一つまたは複数の緯線フレーム６２で全体が球面の天球殻５をなすように構成されている。
【００６０】
また、天球の軸３が回転自在に貫通する天の北極６および天の南極７（複数の経線フレーム６１の交差部位）の各々には、天球殻５の軸方向の位置ずれを防止するための鍔条のストッパ６３がそれぞれ設けられている。天球の軸３の南端３ａは、支持台７０に設けられた、可動支持部７１の溝部７２に、当該溝部７２の長手方向に傾動可能に着脱自在に支持されている。そして、支持台７０上で天球の軸３を傾動させることで、地平面１と天球の軸３のなす角度（その地平面１の緯度）を随意に設定することが可能となっている。
【００６１】
この実施の形態３の場合には、上述の実施の形態１と同様の効果が得られるとともに、さらに、本実施の形態３では、素朴な模型的外観を呈するため、上述した天球儀としての本来の効果の他に、展示物等としても有用である。また、この天球儀を分解可能にして部品状態で流通させ、利用者が自分で組み立てて使用するようにしてもよい。この場合には、組立の過程で、宇宙や天球儀に対するより深い理解が進み、教育的効果は一層大きくなる。
【００６２】
なお、上述の各実施の形態では、地平面１は、いずれもスリット２ａを形成した場合を例示しているが、これに限らず、仰角４を１８０度の範囲で変化させるのであれば、西側部分１ａと東側部分１ｂを一体とし、天球の軸３との交差部を境に、凹凸が逆の逃溝を東西の境界領域に形成し、天球の軸３が地平面１と平行になる姿勢では、天球の軸３がこの逃溝に収容される構成としてもよい。
【産業上の利用可能性】
【００６３】
本発明の天球儀は、多様な大きさとすることができる。すなわち、携帯や机上設置が可能な小型のものはもちろんのこと、実際に人がなかに入り、天球殻内の地平面上に立って当該天球殻の内周に配置された天体等を観察することが可能な大型のものを構築し、教育施設等に設置するようにしてもよい。
【図面の簡単な説明】
【００６４】
【図１】本発明の一実施の形態である天球儀の全体構成の一例を示す斜視図。
【図２】地平面を模した円盤を取り出して例示した平面図。
【図３】地平面と天球の軸とを係合する可動ジョイント部の取り付け状態の一例を示す見取り図。
【図４】天球殻の構成の一例を示す斜視図。
【図５】天球面上の代表的な赤緯線と赤緯線を例示した斜視図。
【図６】天球殻の天球面上に取り付ける太陽軌道環（黄道）や平均的な月軌道環（白道）を例示した斜視図。
【図７】本発明の他の実施の形態である天球儀の構成の一例を示す概念図。
【図８】本発明のさらに他の実施の形態である天球儀の構成の一例を示す概念図。
【符号の説明】
【００６５】
１…地平面、１ａ…西側部分、１ｂ…東側部分、１ｃ…吊り下げ部材、１ｄ…重錘、２…可動ジョイント部（可動係合構造）、２ａ…スリット、３…天球の軸、３ａ…南端、４…仰角、４ａ…仰角計、５…天球殻、６…天の北極、７…天の南極、８…天の赤道、９…黄道、９ａ…太陽軌道環、９ｂ…月軌道環、１０…春分点、１１…夏至点、１２…秋分点、１３…冬至点、１４…赤経線、１５…赤緯線、１５ａ…赤緯線（Ａ）、１５ｂ…赤緯線（Ｂ）、１６…天頂、１７…軸受け、１８…支持台、２０…北極星、２１…天体、２２…星座、３０…人形、５０…球形表示パネル、５１…ケーブル、５２…球面表示制御部（表示制御部）、５３…表示データメモリ、５４…入力装置、６０…フレーム、６１…経線フレーム、６２…緯線フレーム、６３…ストッパ、７０…支持台
【図１】
2005078031.tif 000003
【図２】
2005078031.tif 000004
【図３】
2005078031.tif 000005
【図４】
2005078031.tif 000006
【図５】
2005078031.tif 000007
【図６】
2005078031.tif 000008
【図７】
2005078031.tif 000009
【図８】
2005078031.tif 000010